(57)【要約】【課題】本発明は電源装置および非常用照明装置に関し、明るさの変化を抑制できる電源装置および非常用照明装置を得ることを目的とする。【解決手段】本発明に係る電源装置は、直流電源から電力の供給を受け、光源を点灯させる電力供給部と、該光源に印加される電圧が低下するほど該光源を流れる電流を増加させる制御部と、を備える。【選択図】図２
2020107553.tif 000002
【特許請求の範囲】
【請求項１】
直流電源から電力の供給を受け、光源を点灯させる電力供給部と、
前記光源に印加される電圧が低下するほど前記光源を流れる電流を増加させる制御部と、
を備えることを特徴とする電源装置。
【請求項２】
前記制御部は、前記光源に供給される電力が一定になるように前記電力供給部を制御することを特徴とする請求項１に記載の電源装置。
【請求項３】
前記制御部はマイクロコンピュータであることを特徴とする請求項１または２に記載の電源装置。
【請求項４】
前記電力供給部の出力電圧を検出する電圧検出部と、
前記光源を流れる電流に対応する検出電圧を検出する電流検出部と、
を備え、
前記制御部は、前記光源に供給される電力が一定になるように、前記出力電圧に応じて前記光源を流れる電流の目標値に対応する基準電圧を設定し、前記基準電圧と前記検出電圧とが一致するように前記電力供給部を制御することを特徴とする請求項２に記載の電源装置。
【請求項５】
前記制御部は、前記電力供給部の出力電圧に対応する第１デジタル値と、前記光源を流れる電流の目標値に対応する第２デジタル値との対応関係を示すテーブルを記憶し、前記電力供給部の前記出力電圧を検出すると、前記テーブルを参照して前記第１デジタル値を前記第２デジタル値に変換し、前記光源を流れる電流が前記第２デジタル値に対応する前記目標値と一致するように前記電力供給部を制御することを特徴とする請求項１から４の何れか１項に記載の電源装置。
【請求項６】
前記テーブルは、前記電力供給部の前記出力電圧が小さいほど前記光源を流れる電流の前記目標値が大きくなるように設定されていることを特徴とする請求項５に記載の電源装置。
【請求項７】
前記電力供給部は前記直流電源を昇圧することを特徴とする請求項１から６の何れか１項に記載の電源装置。
【請求項８】
前記直流電源は電池であることを特徴とする請求項１から７の何れか１項に記載の電源装置。
【請求項９】
前記光源と、
前記直流電源と、
外部電源から電力を供給され、前記直流電源を充電する常用電源回路と、
請求項１〜８の何れか１項に記載の電源装置と、
を備えることを特徴とする非常用照明装置。
【発明の詳細な説明】
【技術分野】
【０００１】
本発明は、電源装置および非常用照明装置に関する。
【背景技術】
【０００２】
特許文献１には、ＬＥＤ光源部と、非常用電源と、外部電源の異常時に非常用電源からの電力供給によりＬＥＤを定電流制御で点灯させる非常用点灯回路とを備える非常用照明装置が開示されている。この非常用照明装置では、常温雰囲気中で１．５ｌｘ以上の床面照度を確保することで、ＬＥＤを用いた非常用照明装置としての安全性を確保できる。
【先行技術文献】
【特許文献】
【０００３】
【特許文献１】特許第４６８３２８６号公報
【発明の概要】
【発明が解決しようとする課題】
【０００４】
特許文献１では、ＬＥＤに一定の電流が流れるように非常用点灯回路が制御される。この場合、ＬＥＤの順方向電圧ＶＦのばらつきにより、非常用照明装置の明るさが影響を受ける恐れがある。
【０００５】
本発明は、上述の課題を解決するためになされたもので、明るさの変化を抑制できる電源装置および非常用照明装置を得ることを目的とする。
【課題を解決するための手段】
【０００６】
本発明に係る電源装置は、直流電源から電力の供給を受け、光源を点灯させる電力供給部と、該光源に印加される電圧が低下するほど該光源を流れる電流を増加させる制御部と、を備える。
【発明の効果】
【０００７】
本発明に係る電源装置では、順方向電圧ＶＦが低下するほど光源を流れる電流が増加する。このため、順方向電圧ＶＦの変化による明るさの変化を抑制できる。
【図面の簡単な説明】
【０００８】
【図１】実施の形態１に係る非常用照明装置の回路ブロック図である。
【図２】実施の形態１に係るマイクロコンピュータの回路ブロック図である。
【図３】実施の形態１に係るテーブルの一例を示す図である。
【図４】実施の形態１における電力供給部の出力電圧とＬＥＤ電流およびＬＥＤ電力との関係を示す図である。
【発明を実施するための形態】
【０００９】
本発明の実施の形態に係る電源装置および非常用照明装置について図面を参照して説明する。同じ又は対応する構成要素には同じ符号を付し、説明の繰り返しを省略する場合がある。
【００１０】
実施の形態１．
図１は、実施の形態１に係る非常用照明装置１００の回路ブロック図である。非常用照明装置１００は、ＬＥＤ３０と、ユニット１０と、電池２５０を備える。ＬＥＤ３０は、非常時に明るさを確保するための光源である。ユニット１０は外部電源ＡＣからの給電を受け、電池２５０を充電する。外部電源ＡＣは交流電源である。電池２５０は非常時にＬＥＤ３０に給電を行う。
【００１１】
ユニット１０は、入力フィルタ回路１と、常用電源回路２と、非常用点灯回路３と、電源生成回路４と、制御回路５を備える。非常用点灯回路３と制御回路５は電源装置を構成する。
【００１２】
入力フィルタ回路１は、過電流を保護するためのヒューズ１１と、交流用のコンデンサ１２と、交流を直流に変換するためのダイオードブリッジ１３を備えている。外部電源ＡＣの高電位側には、ヒューズ１１の一端が接続される。ヒューズ１１の他端はコンデンサ１２の正極とダイオードブリッジ１３の入力の高電位側に接続される。コンデンサ１２の負極は外部電源ＡＣの低電位側とダイオードブリッジ１３の入力の低電位側に接続される。ダイオードブリッジ１３の出力は常用電源回路２に接続される。
【００１３】
常用電源回路２は、絶縁形フライバック回路から構成される。常用電源回路２は、常用時に外部電源ＡＣから電力を供給され、電池２５０を充電する。また、マイクロコンピュータ５０は常用電源回路２を制御する。ここで常用時とは、外部電源ＡＣが停電状態または疑似停電状態では無い通常の状態を示す。
【００１４】
常用電源回路２において、ダイオードブリッジ１３の出力と並列にコンデンサ２０１が接続される。ダイオードブリッジ１３の出力の低電位側は接地用端子に接続される。コンデンサ２０１の正極には、コンデンサ２０２の正極、抵抗２０３の一端およびトランス２２０の一次側の一端が接続される。コンデンサ２０２の負極と抵抗２０３の他端にはダイオード２０４のカソードが接続される。コンデンサ２０２、抵抗２０３およびダイオード２０４は、スイッチングに伴う過渡的な高電圧を吸収するスナバ回路を形成する。
【００１５】
ダイオード２０４のアノードには、スイッチング素子２０５の第１端子とトランス２２０の一次側の他端が接続される。スイッチング素子２０５は、トランス２２０の一次巻き線と直列に接続される。スイッチング素子２０５の第２端子はコンデンサ２０１の負極に接続される。スイッチング素子２０５の制御端子は、制御ＩＣ２００に接続されている。制御端子は、第１、第２端子間をスイッチングするための端子である。
【００１６】
スイッチング素子２０５は、例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子２０５がＭＯＳＦＥＴの場合、第１端子はドレイン端子、第２端子はソース端子、制御端子はゲート端子である。スイッチング素子２０５において、第１端子がトランス２２０、第２端子が接地用端子、制御端子が制御ＩＣ２００に接続される。
【００１７】
制御ＩＣ２００はＰＦＣ（Ｐｏｗｅｒ  Ｆａｃｔｏｒ  Ｃｏｒｒｅｃｔｉｏｎ）ドライバである。制御ＩＣ２００はスイッチング素子２０５を駆動させる。トランス２２０の一次側の補助巻き線にはダイオード２０８のアノードが接続される。ダイオード２０８のカソードは、制御ＩＣ２００の電源端子Ｖｃｃ１に接続される。ダイオード２０８は、制御ＩＣ２００の電源をトランス２２０の補助巻き線から供給する。
【００１８】
制御ＩＣ２００には抵抗２０６を介してフォトカプラ２０７が接続される。抵抗２０６およびフォトカプラ２０７は、トランス２２０の二次側の情報を制御ＩＣ２００に入力するために設けられる。
【００１９】
トランス２２０の二次側のフライバック巻き線の一端には、ダイオード２０９のアノードが接続される。ダイオード２０９は、トランス２２０の二次側に直列に接続され、出力側に安定した電圧を伝達するために設けられる。ダイオード２０９のカソードには、電解コンデンサ２１４の正極が接続される。電解コンデンサ２１４の負極は接地用端子に接続される。
【００２０】
電解コンデンサ２１４の正極には抵抗２１７を介して電池２５０の一端が接続される。電池２５０の他端は電解コンデンサ２１４の負極に接続される。抵抗２１７は、電池２５０と直列に接続され、電池２５０の電流を制限するために設けられる。
【００２１】
常用電源回路２は出力電圧検出回路を備える。出力電圧検出回路は、直列に接続された抵抗２１５と抵抗２１６から構成される。出力電圧検出回路は、電解コンデンサ２１４と並列に接続される。抵抗２１５と抵抗２１６の分圧値は、制御部であるマイクロコンピュータ５０に入力される。これにより、マイクロコンピュータ５０は常用電源回路２の出力電圧を検出する。
【００２２】
電池２５０と並列に抵抗２１８と抵抗２１９の直列回路が接続される。抵抗２１８、２１９で電池電圧を分圧した電圧は、マイクロコンピュータ５０に入力される。マイクロコンピュータ５０は、出力電圧検出回路で検出した常用電源回路２の出力電圧と、抵抗２１８、２１９で電池電圧を分圧した電圧との電圧差を算出する。マイクロコンピュータ５０は、算出した電圧差と、抵抗２１７の抵抗値とを用いて演算を行い、スイッチング素子２０５をオンオフする信号の目標値を算出する。
【００２３】
マイクロコンピュータ５０は、算出した目標値に沿った矩形波を出力端子から出力する。マイクロコンピュータ５０の出力端子には抵抗５５、５７を介してフォトカプラ５８が接続される。また、抵抗５７とフォトカプラ５８が形成する直列回路と並列にコンデンサ５６が接続される。マイクロコンピュータ５０が出力する矩形波は、抵抗５５とコンデンサ５６で平均化される。この電圧は、抵抗５７およびフォトカプラ５８を介してトランス２２０の一次側に設けられたフォトカプラ２０７に伝達される。
【００２４】
これにより、マイクロコンピュータ５０の出力信号は、フォトカプラ２０７、抵抗２０６、制御ＩＣ２００を介してスイッチング素子２０５をオンオフする。以上から、絶縁形フライバック回路の定電流フィードバックが実現される。常用電源回路２は、二次側に接続される電池２５０を定電流で充電する。
【００２５】
常用電源回路２は入力電圧検出回路２４０を備える。入力電圧検出回路２４０は、トランス２２０の二次側に直列に接続され、常用電源回路２への入力電圧を検出する。入力電圧検出回路２４０は、第１抵抗２１２と第２抵抗２１３から形成される直列回路を有する。また、入力電圧検出回路２４０は、トランス２２０の二次側のフォワード巻き線の一端に接続されたダイオード２１０を備える。
【００２６】
ダイオード２１０は、アノードがトランス２２０の二次側に接続され、カソードが第１抵抗２１２と第２抵抗２１３から形成される直列回路の一端に接続される。この直列回路の他端は、接地用端子に接続される。第１抵抗２１２と第２抵抗２１３から形成される直列回路と並列に、平滑用のコンデンサ２１１が接続される。第１抵抗２１２と第２抵抗２１３で分圧した電圧はマイクロコンピュータ５０に入力される。これにより、マイクロコンピュータ５０は、常用電源回路２への入力電圧を検出する。
【００２７】
非常用点灯回路３は、昇圧型スイッチング回路で構成されている。非常用点灯回路３は、外部電源ＡＣの停電時または疑似停電時等の非常時に、電池２５０の出力電圧を昇圧してＬＥＤ３０を点灯させる。非常用点灯回路３は、直流電源である電池２５０から電力の供給を受け、ＬＥＤ３０を点灯させる電力供給部である。
【００２８】
非常用点灯回路３の入力端にはコンデンサ３１が並列に接続される。コンデンサ３１の正極には、電池２５０の一端とコイル３２の一端が接続される。コンデンサ３１の負極は接地用端子に接続される。コイル３２の他端は、ダイオード３４のアノードに接続される。ダイオード３４のカソードは、コンデンサ３５の正極に接続される。コンデンサ３５の負極は、コンデンサ３１の負極に接続される。つまり、コンデンサ３１と並列に、コイル３２、ダイオード３４、コンデンサ３５の順で接続された直列回路が接続されている。
【００２９】
コイル３２とダイオード３４の接続点と接地用端子との間には、スイッチング素子３３が接続されている。スイッチング素子３３の第１端子は、ダイオード３４のアノードに接続される。スイッチング素子３３の第２端子はコンデンサ３１の負極に接続される。スイッチング素子３３の制御端子は、マイクロコンピュータ５０に接続される。スイッチング素子３３は、例えばＭＯＳＦＥＴである。
【００３０】
コンデンサ３５の正極には、ＬＥＤ３０のアノード側が接続される。ＬＥＤ３０のカソード側にはセンス抵抗３８の一端が接続される。センス抵抗３８の他端はコンデンサ３５の負極に接続される。図１では、ＬＥＤ３０が一つ示されているが、非常用照明装置１００が備えるＬＥＤ３０の数は１つ以上であれば良い。
【００３１】
非常用点灯回路３は電圧検出部３７ａを備える。電圧検出部３７ａは、非常用点灯回路３の出力電圧を検出する。電圧検出部３７ａは、直列に接続された抵抗３６と抵抗３７から構成される。電圧検出部３７ａは、コンデンサ３５と並列に接続される。抵抗３６と抵抗３７の分圧値はマイクロコンピュータ５０に入力される。これにより、マイクロコンピュータ５０は非常用点灯回路３の出力電圧を検出する。
【００３２】
センス抵抗３８の一端は、マイクロコンピュータ５０に接続される。センス抵抗３８には、ＬＥＤ３０を流れるＬＥＤ電流に対応する電圧が印加される。センス抵抗３８は、ＬＥＤ電流に対応する電圧を、検出電圧として検出する電流検出部である。マイクロコンピュータ５０には、センス抵抗３８による検出電圧が入力される。これにより、マイクロコンピュータ５０はＬＥＤ電流に対応する検出電圧を検出する。
【００３３】
本実施の形態では、常用時は外部電源ＡＣからの電力で電池２５０を充電し、外部電源ＡＣの停電などの異常時には電池２５０からの電力でＬＥＤ３０を点灯させている。一般に、ＬＥＤ３０を点灯させるための非常用点灯回路３は、継続して点灯する期間が決められている。このため、非常用点灯回路３として変換効率の良いスイッチング方式を採用している。また、昇圧型を採用することで、電池２５０のセル数が少ない場合にも、ＬＥＤ３０を点灯させることができる。
【００３４】
次に、電源生成回路４について説明する。電源生成回路４は、マイクロコンピュータ５０の電源を生成する。電源生成回路４において、第１ダイオード４２のアノードはコンデンサ３５の正極に接続される。コンデンサ３５には非常用点灯回路３の出力電圧が印加される。また、第２ダイオード４１のアノードは、電解コンデンサ２１４の正極に接続される。電解コンデンサ２１４には常用電源回路２の出力電圧が印加される。
【００３５】
第１ダイオード４２のカソードと第２ダイオード４１のカソードは、レギュレータ４０に接続される。レギュレータ４０は、第１ダイオード４２のカソードとマイクロコンピュータ５０との間に設けられる。レギュレータ４０の出力はマイクロコンピュータ５０の電源端子Ｖｃｃ２に接続される。レギュレータ４０は、第１ダイオード４２と第２ダイオード４１からの出力電圧を安定させる。
【００３６】
マイクロコンピュータ５０は常用電源回路２または非常用点灯回路３から電力を供給され動作する。常用時は、常用電源回路２が動作している。このため、電源生成回路４は第２ダイオード４１を介してマイクロコンピュータ５０の電源を生成する。非常時は非常用点灯回路３が動作する。このため、電源生成回路４は第１ダイオード４２からマイクロコンピュータ５０の電源を生成する。
【００３７】
本実施の形態では、電池２５０の出力電圧は、マイクロコンピュータ５０の動作電圧より低い。電池２５０は、常用電源回路２の出力電圧が抵抗２１７により分圧された電圧に充電される。これに対し、マイクロコンピュータ５０には、第２ダイオード４１とレギュレータ４０を介して、電解コンデンサ２１４に印加される電圧である常用電源回路２の出力電圧が供給される。これにより、常用時のマイクロコンピュータ５０の電源が確保される。
【００３８】
また、マイクロコンピュータ５０は、外部電源ＡＣの停電を検出すると非常用点灯回路３を動作させる。非常用点灯回路３が動作すると、コンデンサ３５には電池２５０の出力電圧が昇圧された電圧が印加される。コンデンサ３５に印加される電圧は、非常用点灯回路３の出力電圧である。このとき、マイクロコンピュータ５０には、第１ダイオード４２とレギュレータ４０を介して非常用点灯回路３の出力電圧が供給される。これにより、非常時のマイクロコンピュータ５０の電源が確保される。
【００３９】
電源生成回路４は、非常用点灯回路３からマイクロコンピュータ５０に電力を供給する線路上に設けられた第１ダイオード４２を備える。第１ダイオード４２は、アノードが非常用点灯回路３側に接続され、カソードがマイクロコンピュータ５０側に接続される。第１ダイオード４２のカソードは、常用電源回路２からマイクロコンピュータ５０に電力を供給する線路に接続される。さらに、電源生成回路４は、常用電源回路２からマイクロコンピュータ５０に電力を供給する線路上に設けられた第２ダイオード４１を備える。第２ダイオード４１は、アノードが常用電源回路２側に接続され、カソードが第１ダイオード４２のカソードに接続される。
【００４０】
このような構成によれば、マイクロコンピュータ５０には、常用電源回路２の出力電圧と、非常用点灯回路３の出力電圧のうち高いほうが供給される。従って、常用時および非常時においてマイクロコンピュータ５０の電源を安定して供給できる。また、本実施の形態では、マイクロコンピュータ５０の電源生成回路４が２個のダイオードとレギュレータ４０から形成される。このため、簡易な回路で電源生成回路４を形成できる。
【００４１】
このように本実施の形態では、電池２５０のセル数が削減されて電池２５０の出力電圧がマイクロコンピュータ５０の動作電圧より低い場合にも、マイクロコンピュータ５０の電源を生成するために定電圧型の昇圧型スイッチング回路を追加する必要がない。よって、コイルまたはスイッチング素子などの高価な部品を使用せずに、マイクロコンピュータ５０の電源を生成でき、製造コストを低減できる。
【００４２】
制御回路５は、疑似停電用のスイッチ５１、５２と、リモコン受信用の赤外線センサ５４と、表示用ＬＥＤ５３を備える。スイッチ５１、５２、赤外線センサ５４および表示用ＬＥＤ５３はマイクロコンピュータ５０に接続される。スイッチ５１、５２、赤外線センサ５４および表示用ＬＥＤ５３からの信号は、それぞれマイクロコンピュータ５０に入力される。これらの信号をマイクロコンピュータ５０で処理することで、疑似停電状態を発生させることができる。従って、外部電源ＡＣの停電時に非常用照明装置１００が正常動作可能か否かを確認できる。
【００４３】
図２は、実施の形態１に係るマイクロコンピュータ５０の回路ブロック図である。マイクロコンピュータ５０によってＬＥＤ３０の定電力制御を行う方法について説明する。ここでは、マイクロコンピュータ５０の離散時間を連続時間に変換した仮想空間を用いて、定電力制御の原理を説明する。マイクロコンピュータ５０でのフィードバック制御には、例えばＰＩ（Ｐｒｏｐｏｒｔｉｏｎａｌ−Ｉｎｔｅｇｒａｌ）制御を適用できる。ＰＩ制御はＣＰＵ等の負荷軽減の観点で優れている。
【００４４】
フィードバック制御はＰＩ補償器で実現できる。図２では便宜上、オペアンプを有するアナログ回路によってＰＩ補償器の構成を説明している。仮想アンプ９３であるオペアンプの入力には抵抗８１が接続される。オペアンプの入力と抵抗８１との接続点と、仮想アンプ９３の出力との間には、コンデンサ８３と抵抗８２の直接回路が接続される。
【００４５】
非常用点灯回路３の出力電圧Ｖｏｕｔは、抵抗３６、３７で分圧される。この分圧電圧はマイクロコンピュータ５０に入力される。電圧検出部３７ａから取得されたアナログ信号は、Ａ／Ｄ変換器９１でデジタル化される。これにより、非常用点灯回路３の出力電圧に対応する第１デジタル値が得られる。
【００４６】
マイクロコンピュータ５０は記憶部９２を有する。記憶部９２には、予めテーブルが書き込まれている。マイクロコンピュータ５０はテーブルを記憶している。記憶部９２は、例えば不揮発性メモリから構成される。テーブルは、非常用点灯回路３の出力電圧Ｖｏｕｔに対応する第１デジタル値と、ＬＥＤ３０を流れるＬＥＤ電流Ｉｏｕｔの目標値に対応する第２デジタル値との対応関係を示すものである。
【００４７】
マイクロコンピュータ５０は、非常用点灯回路３の出力電圧Ｖｏｕｔを検出すると、テーブルを参照して第１デジタル値を第２デジタル値に変換する。つまり、マイクロコンピュータ５０は、テーブルに基づいて、非常用点灯回路３の出力電圧Ｖｏｕｔに応じた仮想アンプ９３の基準電圧Ｖｒｅｆを決定する。基準電圧Ｖｒｅｆは、ＬＥＤ電流Ｉｏｕｔの目標値に対応する。
【００４８】
一方、ＬＥＤ電流Ｉｏｕｔはセンス抵抗３８で電圧に変換される。センス抵抗３８による検出電圧は、マイクロコンピュータ５０に入力される。検出電圧は、Ａ／Ｄ変換器９４でデジタル化される。このデジタル値は、抵抗８１を介して仮想アンプ９３に入力される。
【００４９】
仮想アンプ９３は、ＬＥＤ電流Ｉｏｕｔに対応する検出電圧と、基準電圧Ｖｒｅｆとの比較を行う。比較結果は、オシレータ９５と仮想アンプ９６を用いてＰＷＭ（Ｐｕｌｓｅ  Ｗｉｄｔｈ  Ｍｏｄｕｌａｔｉｏｎ）信号に変換される。仮想アンプ９６は、例えばオシレータ９５が出力する信号のデューティ比を、仮想アンプ９３の比較結果に応じて変化させても良い。ＰＷＭ信号は、ＰＷＭ信号出力部９７を介して、スイッチング素子３３の制御端子に入力される。スイッチング素子３３は、ＰＷＭ信号に応じてスイッチングする。
【００５０】
ＰＷＭ信号は、基準電圧Ｖｒｅｆとセンス抵抗３８による検出電圧とが一致するように設定される。従って、ＬＥＤ電流Ｉｏｕｔが目標値と一致するように非常用点灯回路３が制御される。
【００５１】
ここで、テーブルは、ＬＥＤ３０に供給される電力が一定になるように設定されている。つまり、テーブルは、非常用点灯回路３の出力電圧Ｖｏｕｔが小さいほどＬＥＤ電流Ｉｏｕｔの目標値が大きくなるように設定されている。従って、マイクロコンピュータ５０は、ＬＥＤ３０に供給される電力が一定になるように、非常用点灯回路３の出力電圧Ｖｏｕｔに応じて基準電圧Ｖｒｅｆを設定する。従って、マイクロコンピュータ５０は、ＬＥＤ３０に供給される電力が一定になるように非常用点灯回路３を制御する。
【００５２】
ＬＥＤ３０に印加される電圧であるＬＥＤ電圧が減少した場合は、テーブルによって基準電圧Ｖｒｅｆが増加する。これに応じて、スイッチング素子３３のオン時間が広くなる。従って、ＬＥＤ電流Ｉｏｕｔが増加し、ＬＥＤ電圧の減少による電力の減少分を補うことができる。
【００５３】
図３は、実施の形態１に係るテーブルの一例を示す図である。図３では便宜上、出力電圧ＶｏｕｔとＬＥＤ電流Ｉｏｕｔの目標値のアナログ値が示されているが、実際にはアナログ値をデジタル値に変換した値が記憶部９２に書き込まれる。
【００５４】
次に、テーブルに書き込む値について説明する。ここでは、ＬＥＤ３０に印加されるＬＥＤ電圧をＶｌｅｄ、ＬＥＤ３０を流れるＬＥＤ電流をＩｏｕｔ、ＬＥＤ３０に供給されるＬＥＤ電力をＷｏｕｔとする。また、非常用点灯回路３の出力電圧をＶｏｕｔとする。このとき、ＬＥＤ電力Ｗｏｕｔは以下の式（１）で表される。
【００５５】
【数１】
2020107553.tif 000003
【００５６】
Ｉｏｕｔは、Ｖｒｅｆ÷Ｒ３８である。マイクロコンピュータ５０に予め書き込む第２デジタル値をＩｏｕｔ［ｂｉｔ］とし、マイクロコンピュータ５０の電源電圧をＶｄｄとすると、Ｖｒｅｆは以下の式（２）で表される。ここで、第２デジタル値は例えば１０ビットのデータであるものとする。
【００５７】
【数２】
2020107553.tif 000004
【００５８】
よって、Ｉｏｕｔは以下の式（３）で算出できる。
【００５９】
【数３】
2020107553.tif 000005
【００６０】
式（３）を式（１）に代入すると、以下の式（４）が得られる。
【００６１】
【数４】
2020107553.tif 000006
【００６２】
一方、Ｖｏｕｔは、第１デジタル値をＶｏｕｔ［ｂｉｔ］とすると、以下の式（５）のように記載できる。ここで、第１デジタル値は例えば１０ビットのデータであるものとする。また、抵抗３６の抵抗値をＲ３６、抵抗３７の抵抗値をＲ３７とする。
【００６３】
【数５】
2020107553.tif 000007
【００６４】
式（５）を式（４）に代入すると、以下の式（６）が得られる。
【００６５】
【数６】
2020107553.tif 000008
2020107553.tif 000009
【００６６】
式（６）に基づき、ＬＥＤ電力Ｗｏｕｔが一定値を維持するように、第１デジタル値Ｖｏｕｔ［ｂｉｔ］および第２デジタル値Ｉｏｕｔ［ｂｉｔ］は決定される。第１デジタル値Ｖｏｕｔ［ｂｉｔ］および第２デジタル値Ｉｏｕｔ［ｂｉｔ］の組み合わせは、テーブルとしてマイクロコンピュータ５０に書き込まれる。
【００６７】
図４は、実施の形態１における電力供給部の出力電圧ＶｏｕｔとＬＥＤ電流ＩｏｕｔおよびＬＥＤ電力Ｗｏｕｔとの関係を示す図である。図４は、式（６）から算出されたＬＥＤ電流ＩｏｕｔおよびＬＥＤ電力Ｗｏｕｔを、出力電圧Ｖｏｕｔを横軸としてグラフ化したものである。実線７１はＬＥＤ電流Ｉｏｕｔを示し、破線７２はＬＥＤ電力Ｗｏｕｔを示す。出力電圧Ｖｏｕｔが大きくなるにつれ基準電圧Ｖｒｅｆが減少するため、ＬＥＤ電流Ｉｏｕｔが減少する。従って、出力電圧Ｖｏｕｔが一定の電圧値以上の場合に、ＬＥＤ電力Ｗｏｕｔを一定に保つことができる。
【００６８】
一般に、ＬＥＤの光出力は順方向電圧ＶＦとＬＥＤ電流で決まる。このため、定電流制御では、順方向電圧ＶＦが低下した場合に光出力が低下する恐れがある。これに対し、本実施の形態では、定電力制御が行われる。このため、順方向電圧ＶＦが低下すると、ＬＥＤ電流Ｉｏｕｔが大きくなる。従って、一定の明るさを確保できる。本実施の形態によれば、例えば光源として別のＬＥＤを接続した場合でも、順方向電圧ＶＦのばらつきによらず、一定の明るさを確保することができる。
【００６９】
また、非常用照明装置１００は、例えば不特定多数の人が集まる場所での火災、地震、その他の災害または事故の際に生じる停電時に、その場にいる人々が安全に避難できるように室内を照明する。この場合、非常時に外部温度の影響でＬＥＤ３０の接合温度が上昇することが考えられる。これにより、順方向電圧ＶＦが低下する可能性がある。このような場合にも、本実施の形態によれば非常用照明装置１００を一定の明るさに維持できる。
【００７０】
なお、一般に、電力フィードバックをアナログ回路で実現する場合、電圧、電流のそれぞれについてフィードバックを行うこととなる。また、フィードバックを実現するためには、回路が発振しないように、位相補償を行う必要がある。電圧、電流のそれぞれを位相補償するには、複雑な設計が必要となり、部品数が増加する可能性がある。
【００７１】
これに対し、本実施の形態では、マイクロコンピュータ５０が記憶するテーブルを用いて定電力制御が行われる。このため、電圧をフィードバックする必要がなく、電流のみ位相補償を行えば良い。従って、簡易な回路で定電力制御が実現できる。また、制御が容易になり、部品数を削減できる。従って、非常用照明装置１００の小型化および低コスト化が可能になる。
【００７２】
本実施の形態では、テーブルにより非常用点灯回路３の出力電圧Ｖｏｕｔを基準電圧Ｖｒｅｆに変換した。これに限らず、マイクロコンピュータ５０は、ＬＥＤ電力Ｗｏｕｔが予め定められた値となるように、出力電圧Ｖｏｕｔから基準電圧Ｖｒｅｆを算出しても良い。
【００７３】
また、本実施の形態では、ＬＥＤ電力Ｗｏｕｔが予め定められた値となるように非常用点灯回路３が制御される。これに限らず、マイクロコンピュータ５０は、ＬＥＤ３０に印加される順方向電圧ＶＦが低下するほどＬＥＤ電流Ｉｏｕｔを増加させれば良い。この場合も、順方向電圧ＶＦの変化による明るさの変化を抑制できる。例えば、ＬＥＤ電力Ｗｏｕｔは、ＬＥＤ３０の明るさが規定値以上に維持される範囲で、増減しても良い。
【００７４】
また、本実施の形態の電源装置は、非常用照明装置１００に限らず、光源を点灯させるあらゆる装置に適用できる。
【００７５】
なお、本実施の形態で説明した技術的特徴は適宜に組み合わせて用いてもよい。
【符号の説明】
【００７６】
１  入力フィルタ回路、１０  ユニット、１１  ヒューズ、１２  コンデンサ、１３  ダイオードブリッジ、２  常用電源回路、２００  制御ＩＣ、２０１  コンデンサ、２０２  コンデンサ、２０３  抵抗、２０４  ダイオード、２０５  スイッチング素子、２０６  抵抗、２０７  フォトカプラ、２０８  ダイオード、２０９  ダイオード、２１０  ダイオード、２１１  コンデンサ、２１２  第１抵抗、２１３  第２抵抗、２１４  電解コンデンサ、２１５  抵抗、２１６  抵抗、２１７  抵抗、２１８  抵抗、２１９  抵抗、２５０  電池、３  非常用点灯回路、３０  ＬＥＤ、３１  コンデンサ、３２  コイル、３３  スイッチング素子、３４  ダイオード、３５  コンデンサ、３６  抵抗、３７  抵抗、３７ａ  電圧検出部、３８  センス抵抗、４  電源生成回路、４０  レギュレータ、４１  第２ダイオード、４２  第１ダイオード、５  制御回路、５０  マイクロコンピュータ、５１  スイッチ、５２  スイッチ、５３  表示用ＬＥＤ、５４  赤外線センサ、５５  抵抗、５６  コンデンサ、５７  抵抗、５８  フォトカプラ、８１  抵抗、８２  抵抗、８３  コンデンサ、９１  Ａ／Ｄ変換器、９２  記憶部、９３  仮想アンプ、９４  Ａ／Ｄ変換器、９５  オシレータ、９６  仮想アンプ、９７  ＰＷＭ信号出力部
【図１】
2020107553.tif 000010
【図２】
2020107553.tif 000011
【図３】
2020107553.tif 000012
【図４】
2020107553.tif 000013